(57)【要約】 【課題】  ロック解除を確実かつ容易にでき、容易にケージから取り外すことができるロック機構付きパッケージを提供する。【解決手段】  ケージ２内に挿抜自在に挿入されると共に締結解除可能にロックされるパッケージ本体３と、パッケージ本体３にスライド自在に設けられ所定位置にスライドすることでケージ２とパッケージ本体３のロックを解除するスライド部材８とを備えたロック機構付きパッケージ１において、パッケージ本体３に、スライド部材８に係合してスライド部材８を上記所定位置までスライドさせる操作レバー９を回動自在に設けたものである。【選択図】  図７
2004247705.tif 000002
【特許請求の範囲】
【請求項１】
ケージ内に挿抜自在に挿入されると共に締結解除可能にロックされるパッケージ本体と、該パッケージ本体にスライド自在に設けられ所定位置にスライドすることで上記ケージと上記パッケージ本体のロックを解除するスライド部材とを備えたロック機構付きパッケージにおいて、上記パッケージ本体に、上記スライド部材に係合してスライド部材を上記所定位置までスライドさせる操作レバーを回動自在に設けたことを特徴とするロック機構付きパッケージ。
【請求項２】
上記操作レバーは、上記スライド部材を上記所定位置にスライドするまで回動したとき上記パッケージ本体を抜く方向へ向くように上記パッケージ本体に設けられた請求項１記載のロック機構付きパッケージ。
【請求項３】
上記パッケージ本体と上記操作レバーとの間に、操作レバーを畳むべく操作レバーをパッケージ本体側に回動させるスプリングを設けた請求項１又は２記載のロック機構付きパッケージ。
【請求項４】
上記パッケージ本体に、上記操作レバーを畳んだ姿勢で留める係止部を設けた請求項１〜３いずれかに記載のロック機構付きパッケージ。
【請求項５】
上記パッケージ本体と上記操作レバーとの間に、操作レバーを展開するように回動させるスプリングを設け、上記パッケージ本体に上記操作レバーを上記スプリングの弾発力に抗して留める留め機構を設けた請求項１又は２記載のロック機構付きパッケージ。
【請求項６】
上記留め機構は、上記パッケージ本体に出没可能に設けられた突起部からなる請求項５記載のロック機構付きパッケージ。
【請求項７】
ケージに締結解除可能にロックされるパッケージ本体と、該パッケージ本体に回動自在に設けられた操作レバーを有し上記パッケージ本体とケージのロックを解除するためのリリース機構と、上記操作レバーの回動を所定の位置で止めるように規制する規制手段とを備えたロック機構付きパッケージにおいて、上記規制手段は、上記操作レバーから所定の大きさを超える力を受けたとき上記操作レバーの回動を許容するように形成されたことを特徴とするロック機構付きパッケージ。
【請求項８】
上記リリース機構は、上記規制手段が上記操作レバーの回動を許容したとき上記操作レバーを機構から切り離すように形成された請求項７記載のロック機構付きパッケージ。
【請求項９】
ケージに締結解除可能にロックされるパッケージ本体と、該パッケージ本体に設けられ上記パッケージ本体とケージのロックを解除するためのリリース機構とを備えたロック機構付きパッケージにおいて、上記リリース機構は、ロック解除時に操作を受ける操作部と該操作部に従動してロックを解除する従動部との間に上記操作部の操作初期の動作を上記従動部から独立させるための遊びを有することを特徴とするロック機構付きパッケージ。
【請求項１０】
ケージ内に挿抜自在に挿入されると共に該ケージに締結解除可能にロックされるパッケージ本体と、該パッケージ本体に設けられ上記パッケージ本体とケージのロックを解除するためのリリース機構とを備えたロック機構付きパッケージにおいて、上記リリース機構を操作するための取っ手に取っ手部分を延長するための取っ手延長部材を設けたことを特徴とするロック機構付きパッケージ。
【請求項１１】
上記リリース機構の取っ手と上記取っ手延長部材との間に、上記取っ手延長部材を折り畳むように弾発付勢するスプリングを設けた請求項１０記載のロック機構付きパッケージ。
【請求項１２】
上記リリース機構の取っ手は、上記パッケージ本体に軸支され回動することによって上記ロックを解除する操作レバーの自由端に形成され、上記取っ手延長部材は上記取っ手に回動自在に設けられた請求項１０または１１記載のロック機構付きパッケージ。
【請求項１３】
上記リリース機構の取っ手は上記パッケージ本体に挿抜方向スライド自在に設けられたリリース部材の抜き方向側の端に形成され、上記取っ手延長部材は上記取っ手に回動自在に設けられた請求項１０または１１記載のロック機構付きパッケージ。
【発明の詳細な説明】
【技術分野】
【０００１】
本発明は、光送受信モジュールなどの光通信用パッケージに係り、ケージに対して交換可能に取り付けられる光通信用のロック機構付きパッケージに関するものである。
【背景技術】
【０００２】
図３２に示す光通信用パッケージ４０は、光ファイバ（図示せず）と通信機器４１との間に介設され光ファイバから受信した光信号を電気信号に変換して通信機器４１側に伝えたり、通信機器４１からの電気信号を光信号に変換して光ファイバ側に伝えたりするものである。このパッケージ４０は、内部の光学素子や電気素子に不具合が生じたときや、通信仕様（光波長や変調方式など）を相手と整合させたいときなどに対応するため、光ファイバを着脱自在に接続するためのソケット５を有し、かつ、通信機器４１に対しても着脱自在となっている。
【０００３】
図３３に示すように、パッケージ４０は、通信機器４１内の基板４２に設けられたケージ２に挿抜自在に挿入されると共に締結解除可能にロックされるようになっている。ケージ２は、一端（前端）を開放された前後に長い箱型に形成されており、前端からパッケージ４０を挿抜できるようになっている。ケージ２の両側には、内部に挿入されたパッケージ４０に引っ掛かってパッケージ４０の抜き方向の移動を規制するための爪６がそれぞれ設けられている。爪６は、ケージ２の側面に内側へ張り出しながら後方へ延びる板バネを形成してなるものである。
【０００４】
図３４、図３５及び図３６に示すように、パッケージ４０は、ケージ２の爪６に係合されるロック部４３と、ロック部４３と爪６によるロックを解除するためのリリース機構４４とを備えている。ロック部４３は、パッケージ本体４５の両側に形成された窪み７の後端面からなり、窪み７内に入った爪６の自由端（後端）に当たるようになっている。リリース機構４４は、パッケージ本体４５に前後方向スライド自在に設けられ窪み７内から爪６を掻き出すためのテーパ１２を有するスライド部材４６からなる。スライド部材４６は、パッケージ本体４５の前側に位置されて左右に延びる取っ手４７を有し、取っ手４７を引くことで窪み７内にテーパ１２をスライドさせるようになっている。そして図３７に示すようにテーパ１２が窪み７内にスライドすることで、爪６を窪み７内から掻き出すようになっている。
【０００５】
ところで、図３２に示すように通信機器４１は、パッケージ４０を装着するための開口４８を多数有し、多数の光ファイバを集中配線できるようになっている。また、開口４８は、パッケージ４０を集約して配置するために上下多段に近接して配置されている。
【０００６】
【特許文献１】米国特許第６４３９９１８Ｂ１号明細書
【発明の開示】
【発明が解決しようとする課題】
【０００７】
しかしながら、通信機器４１の開口４８同士は近接されており、ケージ２にロックされたパッケージ４０の取っ手４７は光ファイバの接続を邪魔しないようにパッケージ本体４５の前面に近接して収められることから掴みづらいという課題があった。そして、取っ手４７を引くとき爪６が抵抗となってロック解除をさらに困難なものにしていた。
【０００８】
また、取っ手４７を引くとき摩擦力によってパッケージ４０も引かれるため、左右の爪６が同時に窪み７から出ない場合等に誤動作を起こす虞がありパッケージ４０を容易に取り出せなくなることがあるという課題があった。
【０００９】
そこで、本発明の目的は、上記課題を解決し、ロック解除を確実かつ容易にでき、容易にケージから取り外すことのできるロック機構付きパッケージを提供することにある。
【課題を解決するための手段】
【００１０】
上記目的を達成するために本発明は、ケージ内に挿抜自在に挿入されると共に締結解除可能にロックされるパッケージ本体と、該パッケージ本体にスライド自在に設けられ所定位置にスライドすることで上記ケージと上記パッケージ本体のロックを解除するスライド部材とを備えたロック機構付きパッケージにおいて、上記パッケージ本体に、上記スライド部材に係合してスライド部材を上記所定位置までスライドさせる操作レバーを回動自在に設けたものである。ロックを解除する動作と、パッケージ本体を引き抜く動作とを独立させることができ、ロック解除が未完全な状態での引き抜き動作等の誤動作を防いで確実かつ容易にケージからパッケージを取り外すことができる。
【００１１】
上記操作レバーは、上記スライド部材を上記所定位置にスライドするまで回動したとき上記パッケージ本体を抜く方向へ向くように上記パッケージ本体に設けられるとよい。
【００１２】
また、上記パッケージ本体と上記操作レバーとの間に、操作レバーを畳むべく操作レバーをパッケージ本体側に回動させるスプリングを設けるとよい。
【００１３】
そして、上記パッケージ本体に、上記操作レバーを畳んだ姿勢で留める係止部を設けるとよい。
【００１４】
また、上記パッケージ本体と上記操作レバーとの間に、操作レバーを展開するように回動させるスプリングを設け、上記パッケージ本体に上記操作レバーを上記スプリングの弾発力に抗して留める留め機構を設けてもよい。
【００１５】
上記留め機構は、上記パッケージ本体に出没可能に設けられた突起部からなるとよい。
【００１６】
また、ケージに締結解除可能にロックされるパッケージ本体と、該パッケージ本体に回動自在に設けられた操作レバーを有し上記パッケージ本体とケージのロックを解除するためのリリース機構と、上記操作レバーの回動を所定の位置で止めるように規制する規制手段とを備えたロック機構付きパッケージにおいて、上記規制手段は、上記操作レバーから所定の大きさを超える力を受けたとき上記操作レバーの回動を許容するように形成されたものである。
【００１７】
上記リリース機構は、上記規制手段が上記操作レバーの回動を許容したとき上記操作レバーを機構から切り離すように形成されるとよい。
【００１８】
また、ケージに締結解除可能にロックされるパッケージ本体と、該パッケージ本体に設けられ上記パッケージ本体とケージのロックを解除するためのリリース機構とを備えたロック機構付きパッケージにおいて、上記リリース機構は、ロック解除時に操作を受ける操作部と該操作部に従動してロックを解除する従動部との間に上記操作部の操作初期の動作を上記従動部から独立させるための遊びを有するものである。
【００１９】
また、ケージ内に挿抜自在に挿入されると共に該ケージに締結解除可能にロックされるパッケージ本体と、該パッケージ本体に設けられ上記パッケージ本体とケージのロックを解除するためのリリース機構とを備えたロック機構付きパッケージにおいて、上記リリース機構を操作するための取っ手に取っ手部分を延長するための取っ手延長部材を設けたものである。
【００２０】
そして、上記リリース機構の取っ手と上記取っ手延長部材との間に、上記取っ手延長部材を折り畳むように弾発付勢するスプリングを設けるとよい。
【００２１】
上記リリース機構の取っ手は、上記パッケージ本体に軸支され回動することによって上記ロックを解除する操作レバーの自由端に形成され、上記取っ手延長部材は上記取っ手に回動自在に設けられるとよい。
【００２２】
また、上記リリース機構の取っ手は上記パッケージ本体に挿抜方向スライド自在に設けられたリリース部材の抜き方向側の端に形成され、上記取っ手延長部材は上記取っ手に回動自在に設けられてもよい。
【発明の効果】
【００２３】
以上要するに本発明によれば、ロック解除を確実かつ容易にでき、容易にケージから取り外すことができる。
【発明を実施するための最良の形態】
【００２４】
本発明の好適実施の形態を添付図面に基づいて詳述する。
【００２５】
図１及び図２に示すように、ロック機構付きパッケージ１は、ケージ２内に挿抜自在に挿入されると共に締結解除可能にロックされるパッケージ本体３と、ケージ２とパッケージ本体３のロックを解除するためのリリース機構４とを備えて構成されている。
【００２６】
パッケージ本体３は、挿抜方向（前後方向）に長い略直方体状に形成されており、抜き方向の端（前端）に光ファイバコネクタ（図示せず）を着脱自在に装着するためのソケット５を有する。パッケージ本体３の両側にはケージ２の爪６を受け入れて掛けるための窪み７がそれぞれ形成されている。
【００２７】
リリース機構４は、パッケージ本体３にスライド自在に設けられ所定位置にスライドすることでケージ２とパッケージ本体３のロックを解除するスライド部材８と、パッケージ本体３に回動自在に設けられスライド部材８に係合してスライド部材８を所定位置までスライドさせる操作レバー９と、操作レバー９の取っ手部１０に設けられ取っ手部分を延長するための取っ手延長部材１１とを備えて構成されている。
【００２８】
スライド部材８は、前後に延びる短冊状の板材からなり、パッケージ本体３の両側にそれぞれ窪み７と交差するように挿抜方向スライド自在に設けられている。スライド部材８の後端には、それぞれ窪み７内に入っている爪６を窪み７の外に掻き出すためのテーパ１２が設けられており、窪み７の後側から窪み７内に進入されることで爪６を機幅方向外側へ掻き出すようになっている。また、スライド部材８は、前端部に操作レバー９に係合されて操作レバー９の回動力を受ける受部１３，１４を有し、操作レバー（操作部）９に従動する従動部を形成している。
【００２９】
操作レバー９は、パッケージ本体３の前端部両側にそれぞれ機幅方向に延びる軸回り回動自在に設けられた一対のアーム部１５と、これらアーム部１５間に掛け渡して設けられた取っ手部１０と、回動中心から径方向に延びて設けられスライド部材８の受部１３，１４を押すための伝動爪部１６とからなる。
【００３０】
アーム部１５は、スライド部材８に干渉しないようにスライド部材８の機幅方向外側に配置されている。また、アーム部１５は、起立されたとき取っ手部１０をパッケージ本体３上に載置すると共に、回動先端を前方へ向けたときパッケージ本体３の前方へ延出するように長さを決定されている。
【００３１】
図２及び図８に示すように、伝動爪部１６は、回動先端をスライド部材８の受部１３，１４に干渉させるように機幅方向内側に屈曲されている。受部１３，１４は、操作レバー９を前方に回動したときに伝動爪部１６に当接される第１受部１３と、操作レバー９を後方に回動したときに伝動爪部１６に当接される第２受部１４とからなる。具体的には第１受部１３と第２受部１４は、伝動爪部１６の回動先端を前後に挟んで向き合うように形成された上下に延びる縁辺からなる。第１受部１３と第２受部１４とは、一方が伝動爪部１６に当接されているとき他方が伝動爪部１６から離脱されるように前後に離間して形成されており、操作レバー９とスライド部材８との間に操作レバー９の操作初期の動作をスライド部材８から独立させて空回りさせるための遊びを形成するようになっている。
【００３２】
そして、操作レバー９は、窪み７内からケージ２の爪６を掻き出す位置までスライド部材８をスライドさせたときパッケージ本体３の抜き取り方向へ向くように設定されている。
【００３３】
また、レバー操作式のリリース機構４を採用したため、操作レバー９を可動範囲を超えて回動させると操作レバー９を含めたリリース機構４が破損し、ケージ２からパッケージ１を取り外しにくくしてしまう虞がある。そこで、図８及び図９に示すように、パッケージ本体３に、操作レバー９の回動を所定の位置で止めるように規制すると共に操作レバー９から所定の大きさを超える力を受けたとき操作レバー９の回動を許容する規制手段１７を設けた。
【００３４】
具体的には、規制手段１７は、スライド部材８のスライド経路上に設けられたストッパたる突起からなり、通常時にはスライド部材８の前方に位置されている。そして、規制手段１７は、スライド部材８の前方へのスライドを規制することで間接的に操作レバー９の回動を規制すると共に、急激なレバー操作等によってスライド部材８が所定の大きさを超える力で前方へスライドされたとき、スライド部材８が撓んで乗り越えるのを許容するように形成されている。
【００３５】
そして、リリース機構４は、規制手段１７が操作レバー９の回動を許容したとき（操作レバー９を規制手段１７の規制を越えて回動させたとき）、操作レバー９をスライド部材８から切り離すように形成されている。具体的には、操作レバー９が所定の位置（スライド部材８が規制手段１７を乗り越えるときの位置）まで回動されたとき第１受部１３から外れて空転するように第１受部１３と伝動爪部１６との位置関係を決定されている。
【００３６】
図１及び図３に示すように、取っ手延長部材１１は、アーム部１５よりも細くて軽量な針金状の金属製の部材を取っ手部１０に回動自在に設けてなるものである。取っ手延長部材１１は、操作レバー９を起立させてパッケージ本体３の前端外周に沿わせたとき、取っ手部１０から下方に延びてパッケージ本体３の前端外周に沿うように略矩形枠状に形成されており、操作レバー９の前側に折り畳まれるように形成されている。
【００３７】
また図１２に示すように、取っ手部１０と取っ手延長部材１１との間には、取っ手延長部材１１を折り畳むように弾発付勢するスプリング１８が設けられており、取っ手部１０に直接触れて操作レバー９を操作するときや、操作レバー９を操作しないときに取っ手延長部材１１を折り畳んで保持するようになっている。具体的には、スプリング１８は、取っ手延長部材１１の外周を巻くように設けられたコイルバネからなり、一端を取っ手部１０に取り付けられると共に他端を取っ手延長部材１１に取り付けられている。スプリング１８は、取っ手延長部材１１を折り畳むのに必要最小限の力を発揮できる程度の弾発力の弱いものに設定されている。
【００３８】
次に本実施の形態の作用を述べる。
【００３９】
図１及び図１０（ａ）に示すように、ケージ２にロックされた状態のパッケージ１をケージ２から取り外す場合、取っ手部１０または取っ手延長部材１１のいずれか指を掛けやすい方を前方へ引く。
【００４０】
図３及び図１０（ｂ）に示すように、取っ手延長部材１１を引いた場合、取っ手延長部材１１は操作レバー９の取っ手部１０を中心に前方へ回動され、略水平となって前方に延長される。このとき取っ手延長部材１１の回動抵抗となるのは微弱なスプリング１８のみであり、取っ手延長部材１１は十分軽量に形成されているため、取っ手延長部材１１を容易に引くことができる。
【００４１】
取っ手延長部材１１が前方に延長された後は、取っ手延長部材１１の操作を邪魔するものはないため、取っ手延長部材１１に指をしっかりと掛け直す。
【００４２】
そして図４及び図１０（ｃ）に示すように、取っ手延長部材１１をさらに引くと、取っ手延長部材１１に連結された取っ手部１０が前方へ引かれ、操作レバー９が前方へ回動される。このように操作レバー９が起立された状態から回動を始める場合、伝動爪部１６は第１受部１３から十分離間されているため、操作レバー９が所定角度回動されるまでは伝動爪部１６で第１受部１３を押すことはなく、操作レバー９は空回りされる。
【００４３】
そして、操作レバー９がある程度回動されたら徐々に引く方向の力を弱めながら取っ手延長部材１１を下方へ押す。伝動爪部１６が第１受部１３に当たって第１受部１３を押し始めると、スライド部材８が前方へスライドを始める。ただし、取っ手延長部材１１を下方へ押す操作をしていることから操作レバー９がパッケージ本体３の前方への移動を規制するように働き、パッケージ本体３がスライド部材８と一緒にケージ２内から抜け出そうとすることはない。このため、後述するロック解除が左右同時になされなくともケージ２内に引っ掛かるなどの誤動作を引き起こすことはない。
【００４４】
図６に示すように、スライド部材８が前方へスライドすることでテーパ１２が窪み７内に進入し、窪み７内に入っている爪６の先端を機幅方向外側へ押し出す。そして、爪６が完全に窪み７の外に出たあと、図５及び図１１（ｄ）に示すようにスライド部材８が規制手段１７に当たり、スライドを規制される。
【００４５】
これにより取っ手延長部材１１も下方への移動を規制されるため、下方へ押すのを止め、取っ手延長部材１１を前方へ引く。爪６が完全に窪み７の外に出ることでケージ２とパッケージ本体３とのロックは解除された状態となっているため、図７に示すようにケージ２からパッケージ１を容易に引き出して取り外すことができる。
【００４６】
一方、操作レバー９の取っ手部１０を直接引いた場合、操作レバー９は前方に回動されるものの、上述の場合と同様に操作初期の動作をスライド部材８に力を伝えることなく空回りされるため、操作レバー９に対する指の掛かりが浅くとも操作レバー９を容易に回動させて引き出すことができる。また、取っ手延長部材１１は略折り畳まれた状態に保持されるため、操作の邪魔をすることはない。
【００４７】
そして、操作レバー９を引き出した後は、取っ手延長部材１１と同様に規制手段１７によって回動が規制されるまで操作レバー９を回動させたのち前方へ引くことで確実かつ容易にケージ２からパッケージ本体３を引き出して取り出すことができる。
【００４８】
また、万一操作ミス等により操作レバー９に必要以上の力がかかって操作レバー９が回動された場合、図９及び図１１（ｅ）に示すようにスライド部材８が規制手段１７を乗り越えて力を逃がすため、操作レバー９やスライド部材８が破損することはない。またさらに、スライド部材８が規制手段１７を乗り越えたとき、伝動爪部１６は第１受部１３から外れ、操作レバー９はスライド部材８から切り離される。これにより操作レバー９やスライド部材８が破損するのを更に確実に防ぐことができ、パッケージ１がケージ２から取り外しにくくなるのを防ぐことができる。
【００４９】
このように、パッケージ本体３に、スライド部材８に係合してスライド部材８を所定位置までスライドさせる操作レバー９を回動自在に設けたため、ロックを解除する動作（操作レバー９を倒す動作）と、パッケージ本体３を引き抜く動作（操作レバー９を引っ張る動作）とを完全に独立させることができ、リリース時の誤動作を防いで確実かつ容易にケージ２からパッケージ１を取り外すことができる。
【００５０】
そして、操作レバー９は、スライド部材８を所定位置にスライドするまで回動したときパッケージ本体３を抜く方向へ向くようにパッケージ本体３に設けられたため、ロックを解除するときに回動させた操作レバー９をそのまま引くだけでケージ２からパッケージ１を引き抜くことができる。
【００５１】
また、規制手段１７は、操作レバー９から所定の大きさを超える力を受けたとき操作レバー９の回動を許容するように形成されたため、万一操作レバー９に過大な力が作用してもその力を逃がすことができ、リリース機構４が破損するのを防ぐことができる。そして、リリース機構４の破損によってパッケージ１がケージ２から取り出しにくくなるのを防ぐことができる。
【００５２】
またさらに、規制手段１７が操作レバー９の回動を許容したとき操作レバー９をリリース機構４から切り離すようにしたため、万一操作レバー９に過大な力が作用してもその力がリリース機構４を構成する他の部材に伝わって破損するのを防ぐことができる。
【００５３】
そして、リリース機構４は、ロック解除時に操作を受ける操作レバー９と操作レバー９に従動するスライド部材８との間に操作レバー９の操作初期の動作をスライド部材８から独立させるための遊びを有するため、操作レバー９または取っ手延長部材１１に対する指の掛かりが浅くとも操作レバー９を容易に回動させて引き出すことができる。
【００５４】
また、リリース機構４を操作するための取っ手部１０に取っ手部分を延長するための取っ手延長部材１１を設けたため、操作レバー９に手を掛けにくい場合でも取っ手延長部材１１を操作することで容易にロックを解除でき、ケージ２からパッケージ１を容易に取り外すことができる。
【００５５】
そして、リリース機構４の取っ手部１０と取っ手延長部材１１との間に、取っ手延長部材１１を折り畳むように弾発付勢するスプリング１８を設けたため、取っ手延長部材１１を使用しないときには取っ手延長部材１１を折り畳んだ状態にしておくことができ、取っ手延長部材１１が他の作業の邪魔となるのを防ぐことができる。
【００５６】
そしてさらに、リリース機構４の取っ手部１０はパッケージ本体３に回動自在に設けられた操作レバー９の自由端に形成され、取っ手延長部材１１は取っ手部１０に回動自在に設けられるものとしたため、取っ手延長部材１１を容易に折り畳むことができる。
【００５７】
なお、取っ手延長部材１１は針金状の部材で形成するものとしたが、これに限るものではない。例えば、取っ手延長部材１１はチェーンや紐などの索で形成してもよい。また、取っ手延長部材１１は金属に限るものではなく、十分な強度を得られれば樹脂等の他の材質で形成してもよい。
【００５８】
他の実施の形態について述べる。
【００５９】
図１３〜図１５に示すパッケージ５０は、操作レバー５１を自動的に畳む復帰機構５２を備えたものである。上述と同様の構成については説明を省き同符号を付す。
【００６０】
図１３及び図１４に示すように、復帰機構５２は、パッケージ本体５９と操作レバー５１との間に設けられ操作レバー５１をパッケージ本体５９側に回動させるスプリング５３と、パッケージ本体５９に設けられ操作レバー５１を畳んだ姿勢で留める係止部５４とを備えて構成されている。操作レバー５１は上述と同様のものであり、起立することでパッケージ本体５９の前端面５５に沿って畳まれ、前方へ傾倒されることでパッケージ本体５９の前方へ突出し、展開されるようになっている。
【００６１】
スプリング５３は、コイルバネからなり、操作レバー５１の軸５６に巻かれ、一端をパッケージ本体５９に係止され、他端を操作レバー５１に係止されている。スプリング５３は、操作レバー５１を手動で容易に回動できる程度に弱いバネ力に設定されている。
【００６２】
係止部５４は、パッケージ本体５９の上面に突起を設けてなるものであり、操作レバー５１が回動するときに操作レバー５１に当たりつつ操作レバー５１の回動を許容するようになっている。また、操作レバー５１には、係止部５４との掛かりを良好にするための被係止部５７が設けられている。被係止部５７は、取っ手部５８に径方向内側へ突出する突起を形成してなるものであり、操作レバー５１が起立して畳まれたときに係止部５４に当たって操作レバー５１の回動を規制するようになっている。
【００６３】
本実施の形態の作用を述べる。
【００６４】
図１３に示すパッケージ５０の操作レバー５１を前方へ引くと、操作レバー５１は、被係止部５７を係止部５４上に乗り上げて回動を始める。このとき、操作レバー５１にはスプリング５３の力が作用しているが、スプリング５３は十分弱いバネ力に設定されているため、操作の邪魔となることはない。そして、図１５に示すように、規制手段１７によって回動を規制されるまで操作レバー５１を回動させ、操作レバー５１を前方へ引くことでケージ（図示せず）からパッケージ５０を取り出すことができる。
【００６５】
また、ケージ（図示せず）にパッケージ５０を装着する場合、操作レバー５１を畳んだ状態でパッケージ５０をケージに挿入する。操作レバー５１はスプリング５３で起立する方向に弾発付勢されると共に係止部５４に前方への回動を規制されているため、作業中に前方へ倒れることはなく、安定して装着作業を行うことができる。
【００６６】
このように、パッケージ本体５９と操作レバー５１との間に、操作レバー５１を畳むべく操作レバー５１をパッケージ本体５９側に回動させるスプリング５３を設けたため、操作レバー５１を安定して畳んでおくことができ、操作レバー５１が不意に倒れて作業の邪魔をするのを防ぐことができる。
【００６７】
そして、パッケージ本体５９に、操作レバー５１を畳んだ姿勢で留める係止部５４を設けたため、操作レバー５１をさらに安定して畳んでおくことができる。このため、スプリング５３のバネ力を十分弱く設定でき、操作レバー５１を倒すときの操作性がスプリング５３によって損なわれるのを防ぐことができる。
【００６８】
他の実施の形態について述べる。
【００６９】
図１６〜図２４に示すパッケージ６０は、操作レバー６１をワンタッチで倒す展開機構６２を備えたものである。上述と同様の構成については説明を省き、同符号を付す。
【００７０】
図１６及び図１７に示すように、展開機構６２は、パッケージ本体６３と操作レバー６１との間に設けられ、操作レバー６１を展開するように回動させるスプリング６４と、パッケージ本体６３に設けられ操作レバー６１をスプリング６４の弾発力に抗して留める留め機構６５とを備えて構成されている。
【００７１】
スプリング６４は、コイルバネからなり、操作レバー６１の軸６６に巻かれ、一端をパッケージ本体６３に係止され、他端を操作レバー６１に係止されている。スプリング６４は、操作レバー６１を手動で容易に回動できる程度に弱いバネ力に設定されている。
【００７２】
図１８に示すように、留め機構６５は、パッケージ本体６３に出没可能に設けられた突起部６７からなる。具体的には、突起部６７は、パッケージ本体６３の上面前端部に形成された板バネ状の舌片６８と、舌片６８に上方へ突起して形成された第１突起６９とからなる。
【００７３】
舌片６８は、パッケージ本体６３の前端に後方へ延びて平行に形成された切れ込み間に形成されており、自由端を前方へ向けて形成されている。そして、舌片６８は、前端上部に形成された押しボタン７０を押下されることで下方へ撓むようになっている。
【００７４】
第１突起６９は、舌片６８の前後の中間位置に形成されており、舌片６８が下方へ撓むことで降下し、操作レバー６１から離間されるようになっている。また、操作レバー６１には、第１突起６９との掛かりを良好にするための第２突起７１が形成されている。第２突起７１は、取っ手部７２に径方向内側へ突出するように形成されており、操作レバー６１が起立して畳まれたときに第１突起６９に当たって操作レバー６１の回動を規制するようになっている。
【００７５】
本実施の形態の作用を述べる。
【００７６】
ケージ（図示せず）からパッケージ６０を抜き取る場合、まず舌片６８の押しボタン７０を押下する。舌片６８は下方へ撓み、第１突起６９が降下する。これにより、第１突起６９は第２突起７１から離間し、操作レバー６１はスプリング６４の弾発付勢力によって前方へ倒れるように回動する。図１９、図２０及び図２１に示すように、伝動爪部１６がスライド部材８の受部１３に当たると、操作レバー６１は回動を止める。この状態で操作レバー６１を下方へ押し込むことでスライド部材８を前方へスライドさせることができ、ロックを解除できる。
【００７７】
また、ケージにパッケージ６０を装着する場合、操作レバー６１を畳んだ状態でパッケージ６０をケージに挿入する。操作レバー６１は第１突起６９に掛かって前方への回動を規制されているため、作業中に前方へ倒れることはなく、安定して装着作業を行うことができる。
【００７８】
このように、パッケージ本体６３と操作レバー６１との間に、操作レバー６１を展開するように回動させるスプリング６４を設け、パッケージ本体６３に操作レバー６１をスプリング６４の弾発力に抗して留める留め機構６５を設けたため、操作レバー６１を留め機構６５から外すことで容易に操作レバー６１を前方へ倒すことができ、パッケージ６０をケージから容易に取り外すことができる。
【００７９】
そして、パッケージ本体６３に突起部６７を出没可能に設けて留め機構６５を構成したため、操作レバー６１を留め機構６５から容易に外すことができる。
【００８０】
なお、舌片６８の前端上部に押しボタン７０を形成し、押しボタン７０を押下することで舌片６８を撓ませるようにしたが、これに限るものではない。図２２及び図２３に示すように、舌片８０の前端部８１を下方へ屈曲させ、前端部８１の前端に後方へ押す押しボタン８２を形成してもよい。図２４に示すように、押しボタン８２を後方へ押すことで舌片８０を下方へ撓ませることができ、操作レバー６１を留め機構８３から容易に外すことができる。
【００８１】
他の実施の形態について述べる。
【００８２】
図２５〜図３１に示すパッケージ２０は、本発明者が開発した他のタイプのパッケージに上述した取っ手延長部材１１の技術を適用したものである。
【００８３】
図２９及び図３０に示すように、ケージ２１は底面２２に上下に貫通する係合穴２３を有し、この係合穴２３にパッケージ本体２４から下方に出没自在に突起するロック部２５を挿入することでパッケージ２０をロックするようになっている。ロック部２５は、パッケージ本体の底部に一端を設けられた板バネ２６の他端（自由端）に設けられており、板バネ２６が撓むことでパッケージ本体２４内に没入するようになっている。板バネ２６の延長方向の中間位置には、後述するリリース部材２７に乗り上げて板バネ２６をパッケージ本体２４の内側へ撓ませるための凸部２８が設けられている。
【００８４】
リリース部材２７は、ロック部２５と凸部２８を上下に貫通させるための通し穴２９を有すると共にパッケージ本体２４の前部に形成されたストッパ３０を上下に貫通させてスライド範囲を規制するためのスライド規制穴３１を有する板状に形成されており、パッケージ本体２４の底部に前後方向（パッケージ２０のスライド方向）スライド自在に設けられている。そして、リリース部材２７は、図２５に示すようにパッケージ本体２４内に収納（挿入）された状態でロック部２５を通し穴２９から下方に突出させて係合穴２３に挿入させると共に、図２７に示すようにパッケージ本体２４から抜き出された状態で凸部２８を通し穴２９の外に乗り上げさせてロック部２５をパッケージ本体２４内に没入させるようになっている。
【００８５】
図２５に示すように、リリース部材２７の引き抜き側（前側）の先端には、上方に突起する取っ手部３２が形成されている。また、取っ手部３２には、取っ手部分を延長するための取っ手延長部材３３が機幅方向に延びる軸回り回動自在に設けられている。
【００８６】
取っ手延長部材３３は、リリース部材２７をパッケージ本体２４内に収納したとき、パッケージ本体２４の前側に位置される取っ手部３２から上方に延びてパッケージ本体２４の前端外周に沿うように略矩形枠状に形成されており、起立することでパッケージ本体２４の前端外周に沿って折り畳まれるようになっている。
【００８７】
また図３１に示すように、取っ手部３２と取っ手延長部材３３との間には、取っ手延長部材３３を折り畳むように弾発付勢するスプリング３４が設けられている。具体的には、スプリング３４は、取っ手延長部材３３の外周を巻くように設けられたコイルバネからなり、一端を取っ手部３２に取り付けられると共に他端を取っ手延長部材３３に取り付けられている。スプリング３４は、取っ手延長部材３３を折り畳むのに必要最小限の力を発揮できる程度の弾発力の弱いものに設定されている。
【００８８】
次に本実施の形態の作用を述べる。
【００８９】
図２５に示すように、ケージ２１にロックされた状態のパッケージ２０をケージ２１から取り外す場合、取っ手部３２または取っ手延長部材３３のいずれか指を掛けやすい方を前方へ引く。
【００９０】
図２６に示すように、取っ手延長部材３３を引いた場合、取っ手延長部材３３はリリース部材２７の取っ手部３２を中心に前方へ回動され、略水平となって前方に延長される。このとき取っ手延長部材３３の回動抵抗となるのは微弱なスプリング３４のみであり、取っ手延長部材３３は十分軽量に形成されているため、取っ手延長部材３３を容易に引くことができる。取っ手延長部材３３が前方に延長された後は、取っ手延長部材３３の操作を邪魔するものはないため、取っ手延長部材３３に指をしっかりと掛け直す。
【００９１】
そして図２７及び図３０に示すように、取っ手延長部材３３をさらに前方へ引くと、リリース部材２７がパッケージ本体２４内から引き出され、凸部２８がリリース部材２７の上に乗り上げる。これにより、板バネ２６は自由端側を上方へ向けるように撓み、ロック部２５をパッケージ本体２４内に没入させ、ケージ２１とパッケージ２０のロックは解除される。
【００９２】
この状態からさらに取っ手延長部材３３を前方に引くと、リリース部材２７は、ストッパ３０に当接してパッケージ本体２４に対するスライドを規制され、パッケージ本体２４を前方へ引っ張る。パッケージ本体２４はケージ２１に対するロックを解除されているため、図２８に示すように容易にケージ２１から引き出すことができる。
【００９３】
一方、リリース部材２７の取っ手部３２を直接引いた場合、取っ手延長部材３３は、パッケージ本体２４から離間されてもスプリング３４によって起立された状態に保持されるため、操作の邪魔をすることはない。
【００９４】
このように、リリース部材２７の取っ手部３２に取っ手部分を延長するための取っ手延長部材３３を設けたため、取っ手部３２に手を掛けにくい場合でも取っ手延長部材３３を操作することで容易にロックを解除でき、ケージ２１からパッケージ２０を容易に取り外すことができる。
【００９５】
また、パッケージ本体２４に挿抜方向スライド自在に設けたリリース部材２７の抜き方向側の端に取っ手部３２を形成し、この取っ手部３２に取っ手延長部材３３を回動自在に設けたため、取っ手延長部材３３をパッケージ本体２４に沿って容易に折り畳むことができる。
【００９６】
そして、リリース部材２７の取っ手部３２と取っ手延長部材３３との間に、取っ手延長部材３３を折り畳むように弾発付勢するスプリング３４を設けたため、取っ手延長部材３３を使用しないときには取っ手延長部材３３を折り畳んだ状態にしておくことができ、取っ手延長部材３３が他の作業の邪魔となるのを防ぐことができる。
【図面の簡単な説明】
【００９７】
【図１】本発明の好適実施の形態を示すケージにロックした状態のロック機構付きパッケージの斜視図である。
【図２】ケージを透視した図１のロック機構付きパッケージの斜視図である。
【図３】取っ手延長部材を回動させたロック機構付きパッケージの斜視図である。
【図４】操作レバーを回動させたロック機構付きパッケージの斜視図である。
【図５】操作レバーを回動させたロック機構付きパッケージの斜視図である。
【図６】ケージを透視した図５のロック機構付きパッケージの斜視図である。
【図７】ケージから引き出したロック機構付きパッケージの斜視図である。
【図８】図５の要部拡大図である。
【図９】操作レバーが規制手段の規制を越えて回動したロック機構付きパッケージの要部拡大斜視図である。
【図１０】（ａ）はロック状態のロック機構付きパッケージの側面図であり、（ｂ）は取っ手延長部材を回動させたロック状態のロック機構付きパッケージの側面図であり、（ｃ）は操作レバーを回動させたロック状態のロック機構付きパッケージの側面図である。
【図１１】（ｄ）は操作レバーを回動させてロックを解除した状態のロック機構付きパッケージの側面図であり、（ｅ）は規制手段の規制を越えて回動したロック機構付きパッケージの側面図である。
【図１２】図１の要部拡大図である。
【図１３】他の実施の形態を示すロック機構付きパッケージの要部斜視図である。
【図１４】図１３のロック機構付きパッケージの要部側断面図である。
【図１５】操作レバーを展開した図１３のロック機構付きパッケージの要部斜視図である。
【図１６】他の実施の形態を示すロック機構付きパッケージの斜視図である。
【図１７】図１６のロック機構付きパッケージの側面図である。
【図１８】図１７のロック機構付きパッケージの要部側断面図である。
【図１９】操作レバーを展開した図１６のロック機構付きパッケージの斜視図である。
【図２０】図１９のロック機構付きパッケージの側面図である。
【図２１】図１９の要部拡大図である。
【図２２】他の実施の形態を示すロック機構付きパッケージの斜視図である。
【図２３】図２２のロック機構付きパッケージの要部側面図である。
【図２４】押しボタンを押された図２３のロック機構付きパッケージの要部側面図である。
【図２５】他の実施の形態を示すケージにロックした状態のロック機構付きパッケージの斜視図である。
【図２６】取っ手延長部材を回動させたロック機構付きパッケージの斜視図である。
【図２７】取っ手延長部材を引いてロックを解除した状態のロック機構付きパッケージの斜視図である。
【図２８】取っ手延長部材を引いてケージから引き出したロック機構付きパッケージの斜視図である。
【図２９】斜め下方から見た図２８のロック機構付きパッケージの斜視図である。
【図３０】図２７のロック機構付きパッケージの側断面図である。
【図３１】図２７の要部拡大図である。
【図３２】従来のロック機構付きパッケージを通信機器に装着した状態の斜視図である。
【図３３】従来のロック機構付きパッケージをケージにロックした状態の斜視図である。
【図３４】従来のロック機構付きパッケージをケージから引き出した状態の斜視図である。
【図３５】図３４の要部拡大図である。
【図３６】ケージの爪に係合されたロック部の斜視断面図である。
【図３７】ケージの爪から離脱されたロック部の斜視断面図である。
【符号の説明】
【００９８】
１  ロック機構付きパッケージ
２  ケージ
３  パッケージ本体
４  リリース機構
８  スライド部材（従動部）
９  操作レバー（操作部）
１０  取っ手部
１１  取っ手延長部材
１７  規制手段
１８  スプリング
２４  パッケージ本体
２７  リリース部材
３２  取っ手部
３３  取っ手延長部材
３４  スプリング
５１  操作レバー
５３  スプリング
５４  係止部
５９  パッケージ本体
６１  操作レバー
６３  パッケージ本体
６４  スプリング
６５  留め機構
６７  突起部
【図１】
2004247705.tif 000003
【図２】
2004247705.tif 000004
【図３】
2004247705.tif 000005
【図４】
2004247705.tif 000006
【図５】
2004247705.tif 000007
【図６】
2004247705.tif 000008
【図７】
2004247705.tif 000009
【図８】
2004247705.tif 000010
【図９】
2004247705.tif 000011
【図１０】
2004247705.tif 000012
【図１１】
2004247705.tif 000013
【図１２】
2004247705.tif 000014
【図１３】
2004247705.tif 000015
【図１４】
2004247705.tif 000016
【図１５】
2004247705.tif 000017
【図１６】
2004247705.tif 000018
【図１７】
2004247705.tif 000019
【図１８】
2004247705.tif 000020
【図１９】
2004247705.tif 000021
【図２０】
2004247705.tif 000022
【図２１】
2004247705.tif 000023
【図２２】
2004247705.tif 000024
【図２３】
2004247705.tif 000025
【図２４】
2004247705.tif 000026
【図２５】
2004247705.tif 000027
【図２６】
2004247705.tif 000028
【図２７】
2004247705.tif 000029
【図２８】
2004247705.tif 000030
【図２９】
2004247705.tif 000031
【図３０】
2004247705.tif 000032
【図３１】
2004247705.tif 000033
【図３２】
2004247705.tif 000034
【図３３】
2004247705.tif 000035
【図３４】
2004247705.tif 000036
【図３５】
2004247705.tif 000037
【図３６】
2004247705.tif 000038
【図３７】
2004247705.tif 000039